(57)【特許請求の範囲】
【請求項１】
簾の下端近傍を支持する線材と、該簾の上端近傍に取り付けられ該線材が係合する係合部と、を備えてなる簾昇降具に用いられる該係合部であって、
該簾の一面側から該上端近傍に当接する一当接部と、
該簾の他面側から該上端近傍に当接する他当接部と、
該一当接部に固定された雌ねじ部分と、該雌ねじ部分の一端側と他端側とのいずれからも螺合可能である雄ねじ部分と、を有し、該雄ねじ部分が該雌ねじ部分に対して相対的に回転することで、該一当接部と該他当接部との間の距離を所定範囲内で連続的に調節する距離調節手段と、
を有してなり、
該一当接部は、該雄ねじ部分が該雌ねじ部分の一端側から螺合したときに簾の上端近傍に当接する一当接面と、該雄ねじ部分が該雌ねじ部分の他端側から螺合したときに簾の上端近傍に当接する他当接面と、を有するものである、
簾昇降具に用いられる係合部。
【請求項２】
距離調節手段が、前記雄ねじ部分の基端側に形成された把持部分を有してなり、
前記他当接部が、該把持部分と前記雌ねじ部分との間の前記雄ねじ部分に貫通されるものである、請求項１に記載の簾昇降具に用いられる係合部。
【請求項３】
前記雌ねじ部分の一端と他端との間の中心点を含み、前記雌ねじ部分の進退方向に対して垂直な平面である基準面に対し、前記一当接面と前記他当接面とが略平行であり、
前記一当接面と該基準面との間の距離と、前記他当接面と該基準面との間の距離と、が異なるものである、請求項１又は２に記載の簾昇降具に用いられる係合部。
【請求項４】
請求項１乃至３のいずれか１に記載の簾昇降具に用いられる係合部と、該係合部が係合し簾の下端近傍を支持する線材と、を有してなる簾昇降具。
【請求項５】
簾の上縁に沿った異なる２点に取り付けられる第１係合部及び第２係合部を有してなり、
線材が、第１係合部と第２係合部との間に張設されるものであり、
少なくとも簾の下端近傍を上昇させる際、第１係合部と第２係合部との間の線材の張力が増加するものである、請求項４に記載の簾昇降具。
【請求項６】
第１係合部が、線材の一端が固定される一端固定部と、線材の長さ方向に移動自在に線材を支持する第１支持部と、を有し、
第２係合部が、線材の他端が固定される他端固定部と、線材の長さ方向に移動自在に線材を支持する第２支持部と、を有し、
第１支持部と第２支持部との間に線材が張設され、
一端固定部と第１支持部との間の線材の部分と、他端固定部と第２支持部との間の線材の部分と、が簾の下端近傍を支持するものである、請求項５に記載の簾昇降具。
【請求項７】
前記係合部と前記線材とを少なくとも含んでなる、請求項４乃至６のいずれか１に記載の簾昇降具を製作する製作セット。
【発明の詳細な説明】
【技術分野】
【０００１】
本発明は、簾昇降具の線材が係合する係合部に関し、より詳細には、簾の下端近傍を支持する線材と、該簾の上端近傍に取り付けられ該線材が係合する係合部と、を備えてなる簾昇降具に用いられる該係合部に関する。
【背景技術】
【０００２】
簾は、日射を遮ったり他人からの視線を遮る（他人から見られたくないものを隠す等）ため、支持物（例えば、建物の軒先、建物の柱、窓枠、これらに取り付けられた簾支持具等）に簾の上端近傍が支持され、吊り下げられて用いられてきた。かかる簾は、日射を遮ったり他人からの視線を遮りたいときは上下方向に長く垂下された状態（簾の下端が下方に位置する状態）にされるが、そうでないとき（例えば、日射を遮らず室内に取り込みたいとき等）には簾の下端を引き上げた状態にすることが好ましく、このように状況に応じて簾の下端部分を昇降させるため、従来から簾の昇降具が用いられてきた（例えば、特許文献１）。
【０００３】
特許文献１には、従来から用いられてきた簾の昇降具が開示されている。即ち、「従来のすだれ用昇降具は、図３に示すように、一対の滑車台３１、３２と紐４５とから成り、各滑車台３１、３２の上部に引掛け部３３、３４を設け、各滑車台３１、３２の後面下部には紐用孔３５、３６を設け、一方の滑車台３２にはストッパー３７を設けたものである。そして、従来のすだれ用昇降具を使用するには、すだれに一対の滑車台を固着して、一対の滑車台と紐を組み立てて使用する。すなわち、一対の滑車台３１、３２のうち、まず左側の滑車台３１をすだれＡの上部枠Ａ１にネジ３８でネジ止めし、もう一方の右側の滑車台３２もすだれＡの上部枠Ａ１にネジ３９でネジ止めする。つぎに、左側の滑車台３１の紐用孔３５に紐４５を結び、紐４５をすだれＡの下部枠を持ち上げるように通し、紐４５の先端を左側の滑車台３１の滑車４０に通す。つづいて、紐４５の先端を右側の滑車台３２に通し、紐４５をたぶらせて、再度、右側の滑車台３２の滑車４１を通し、すだれＡの下部枠を持ち上げるように通し、紐４５の先端を右側の滑車台３２の紐用孔３６に紐４５を結ぶ。」（特許文献１、考案の詳細な説明中の段落番号０００２）ようにした簾の昇降具が開示されている。
【０００４】
また、特許文献１に開示された簾の昇降具は、１本の紐４５が張り渡された一対の滑車４０、４１を備えてなるものであるが、１本の紐と１の滑車とから構成される簾の昇降具も知られている（例えば、特許文献２）。
特許文献２には、「窓枠等に取り付けられたすだれの上部枠で、すだれの左右の荷重が平均して掛かる位置に、Ｕ字型枠を嵌め込み止めネジの螺入より、Ｕ字型枠とすだれの上部枠を固着し、巻き取り器から紐を引き出し滑車にかける、さらに紐をすだれの横棒に結線具で結束したリング内部を順次通過せしめ、すだれの下部枠に繋止する」（特許文献２、発明の詳細な説明中の段落番号０００５）ようにした簾の昇降具が開示されている。
以降、１本の紐が張り渡された一対の滑車を備えてなる簾の昇降具を「一対滑車型昇降具」といい、１本の紐と１の滑車とから構成される簾の昇降具を「単滑車型昇降具」という。
【０００５】
【特許文献１】登録実用新案第３００１０４１号公報（例えば、考案の詳細な説明中、段落番号０００２、第３図等）
【特許文献２】特開２００１−４６２１９号公報（例えば、発明の詳細な説明中、段落番号０００５、第１図、第３図及び第４図等）
【発明の開示】
【発明が解決しようとする課題】
【０００６】
このような従来から用いられてきた簾の昇降具は、簾の上部に滑車（係合部の一部）を取り付け、該滑車に紐（線材）を係合させたものであり、紐（線材）を引き取ったり緩めたりすることで、紐（線材）により支持された簾の下端部分を昇降させるものであった。
この簾上部への滑車（係合部の一部）の取付は、特許文献２の第３図及び第４図に示されるＵ字型枠１（すだれの上部枠を嵌め込める幅を備え、滑車が取り付けられる。）のようなもので簾上部を一面側と他面側とから挟持することで行われることが多かった。このようなＵ字型枠１のように決められた幅で簾上部を一面側と他面側とから挟持し簾上部へ滑車（係合部の一部）を取り付ければ、簾上部への滑車（係合部の一部）の取付を容易かつ迅速に行うことができる。しかしながら、決められた幅で簾上部を一面側と他面側とから挟持することのみで簾上部へ滑車（係合部の一部）を取り付けた場合、簾上部を一面側と他面側とから十分な挟持力により挟持することができないことが多く（例えば、簾上部の一面側と他面側との間の第１の幅と、Ｕ字型枠１のように簾上部を一面側と他面側とから挟持するものが挟持する予め定められた第２の幅と、を比較したとき、第１の幅よりも第２の幅をやや小さくすれば挟持力は大きくなるが、反面、Ｕ字型枠１等を簾上部に装着しにくくなったり装着時に簾が破損するといった問題が生じうる。）、このため簾の昇降具を使用しているときに、滑車（係合部の一部）が簾の上縁に沿って不意に移動するという問題があった。例えば、風を受けることや移動物（例えば、人や自転車等）に引っかかる等して紐（線材）の位置が不意に動いた状態で簾を昇降させると、滑車（係合部の一部）が簾の上縁に沿って不意に移動する。この不意の移動が生じると簾をうまく昇降させることができなくなるので、滑車（係合部の一部）を簾の上縁の元の位置に戻す必要があり（滑車（係合部の一部）は通常高い位置に存するので、滑車（係合部の一部）を元の位置に戻す作業は難儀なものとなりうる。）、かかる不意の移動は簾の昇降具の使用を不便なものとする。
【０００７】
この滑車（係合部の一部）が簾の上縁に沿って不意に移動することを防止するため、特許文献２に記載の簾の昇降具においては、Ｕ字型枠を簾上部に嵌め込み、さらにネジ穴２に止めネジ３を嵌入し、Ｕ字型枠と簾上部を固着するようにしている。このようにネジ止めにより簾上部へ滑車（係合部の一部）を取り付ければ、上述したような滑車（係合部の一部）の簾上縁に沿った不意の移動は防止可能であるが、簾上部への滑車（係合部の一部）の取付作業及び取外作業が手間や時間がかかるものとなる。
さらに、特許文献２の第３図及び第４図に示されるＵ字型枠１のようなもので簾上部を一面側と他面側とから挟持することで簾上部へ滑車（係合部の一部）を取り付ける場合には、簾上部の一面側と他面側との間の寸法（厚み）に応じたＵ字型枠１をそれぞれ用意する必要があり、多くの種類の簾に昇降具を取り付けようとすると多くの種類の簾の昇降具を準備する必要があった（簾の昇降具の製造者及び販売者等は多数少量の製造や取り扱いを余儀なくされる。）。
【０００８】
そこで、本発明においては、簾上部への取付を容易かつ迅速に行うことができ簾の上縁に沿って不意に移動することがなく、簾上部の一面側と他面側との間の寸法（厚み）のある程度の変化にも対応することができる、簾昇降具に用いられる係合部を提供することを目的とする。
【課題を解決するための手段】
【０００９】
本発明の簾昇降具に用いられる係合部（以下、「本係合部」という。）は、簾の下端近傍を支持する線材と、該簾の上端近傍に取り付けられ該線材が係合する係合部と、を備えてなる簾昇降具に用いられる該係合部であって、該簾の一面側から該上端近傍に当接する一当接部と、該簾の他面側から該上端近傍に当接する他当接部と、該一当接部と該他当接部との間の距離を所定範囲内で連続的に調節する距離調節手段と、を有してなる、簾昇降具に用いられる係合部である。
なお、簾の「上端」及び「下端」とは、簾が上方から吊り下げられて使用される状態（例えば、簾の一縁が上方に存する支持物（例えば、建物の軒先、建物の柱、窓枠、これらに取り付けられた簾支持具等）に支持され吊り下げられて使用される状態）における「上端」及び「下端」をいう。また、「線材」とは、簾の下端近傍を支持する線材であればいかなるものであってもよく何ら制限されるものではないが、一例を挙げれば、紐、糸、綱、ロープ等を例示することができる。簾の一面と他面とは、簾が日射を遮ったり他人からの視線を遮るため等に形成する面（簾が上方から吊り下げられて使用される状態においては、通常、鉛直な平面を形成することが多い。）の表面と裏面とをいう。
【００１０】
本係合部は、簾の下端近傍を支持する線材（特許文献１及び特許文献２では紐が本発明にいう線材に該当する。）と共に簾昇降具を構成し、該線材が係合するためのものであり、簾の上端近傍に取り付けられる。本係合部は、簾の上端近傍に簾の一面側から当接する一当接部と、簾の上端近傍に簾の他面側から当接する他当接部と、を有しており、さらに本係合部が有する距離調節手段が該一当接部と該他当接部との間の距離を所定範囲内で連続的に調節することにより、本係合部は該一当接部と該他当接部との間で簾の上端近傍を確実に挟持することができる。そして、距離調節手段が該一当接部と該他当接部との間の距離を所定範囲内で連続的に調節することにより、簾上部の一面側と他面側との間の寸法（厚み）のある程度の変化にも対応し簾の上端近傍を確実に挟持することができる。このように本係合部は、距離調節手段により該一当接部と該他当接部との間の距離を所定範囲内で連続的に調節することで、簾の上端近傍を確実に挟持することができることから、従来の技術にて説明したようなネジ止めのように手間や時間を要することなく、簾上部への取付を容易かつ迅速に行うことができ、（距離調節手段により該一当接部と該他当接部との間の距離を適切に調節することで簾の上端近傍を確実に挟持することにより）簾の上縁に沿って不意に移動することがなく、（距離調節手段により該一当接部と該他当接部との間の距離を所定範囲内で連続的に調節することで）簾上部の一面側と他面側との間の寸法（厚み）のある程度の変化にも対応することができる。
なお、本係合部は、簾昇降具において簾の下端近傍を支持する線材が係合する係合部として何ら制限されることなく広く用いることができ、例えば、上述した一対滑車型昇降具及び単滑車型昇降具のいずれの係合部としても用いることができる。
【００１１】
距離調節手段が、該一当接部に固定された雌ねじ部分と、該雌ねじ部分に螺合する雄ねじ部分と、を有しており、該雄ねじ部分が該雌ねじ部分に対して相対的に回転することで、前記距離（一当接部と他当接部との間の距離）を調節するもの（以下、「ねじ調節本係合部」という。）であってもよい。
一当接部に固定された雌ねじ部分に螺合する雄ねじ部分が、雌ねじ部分に対して相対的に回転すれば、雄ねじ部分が雌ねじ部分に対し雄ねじ部分の軸方向（正逆両方向）に相対的に移動することができる。これにより雌ねじ部分が固定された該一当接部と、雄ねじ部分の軸方向に関し雄ねじ部分に対する相対的な位置関係が所定範囲内に制限（制限は直接又は間接を問わない）される該他当接部と、の間の距離を（該雄ねじ部分が該雌ねじ部分に対して相対的に回転することで）所定範囲内で連続的に調節することができる。このような該雄ねじ部分と該雌ねじ部分とを距離調節手段が有して構成されることで、該一当接部と該他当接部との間の距離を簡単な構成にて確実かつ容易に所定範囲内で連続的に調節することができる。
【００１２】
ねじ調節本係合部の場合、距離調節手段が、前記雄ねじ部分の基端側に形成された把持部分を有してなり、該他当接部が、該把持部分と前記雌ねじ部分との間の前記雄ねじ部分に貫通されるものであってもよい。
該他当接部が、把持部分と雌ねじ部分との間の雄ねじ部分に貫通されるようにすれば、雄ねじ部分の軸方向に関し雄ねじ部分に対する相対的な（該他当接部の）位置関係を所定範囲内に確実かつ容易に制限することができ、該一当接部と該他当接部との間の距離を、雄ねじ部分が雌ねじ部分に対して相対的に回転することで所定範囲内で連続的に調節することができる。また、雄ねじ部分の基端側に形成された把持部分によって、把持部分を手で把持して雄ねじ部分をうまく回転させることができる。なお、他当接部は、把持部分と雌ねじ部分との間の雄ねじ部分から不意に抜け落ちないようにされる（例えば、雄ねじ部分が貫通する他当接部の貫通孔を把持部分が通過不可能にされたり、雄ねじ部分が貫通する他当接部の貫通部分に雄ねじ部分が螺合する雌ねじ（該一当接部に固定された雌ねじ部分とは逆ネジにされる。なお、こうすれば雄ねじ部分を回転させた際の前記距離の変化を大きくすることができる。）を螺刻し雄ねじ部分と螺合させる等。）。
【００１３】
ねじ調節本係合部の場合、前記雄ねじ部分が、前記雌ねじ部分の一端側と他端側とのいずれからも螺合可能であり、前記一当接部は、前記雄ねじ部分が前記雌ねじ部分の一端側から螺合したときに簾の上端近傍に当接する一当接面と、前記雄ねじ部分が前記雌ねじ部分の他端側から螺合したときに簾の上端近傍に当接する他当接面と、を有するもの（以下、「両面当接本係合部」という。）であってもよい。
雄ねじ部分が、雌ねじ部分を貫通可能であり一端側と他端側とのいずれからも螺合可能であり、雄ねじ部分が雌ねじ部分の一端側から螺合したときに簾の上端近傍に当接する一当接面と、雄ねじ部分が雌ねじ部分の他端側から螺合したときに簾の上端近傍に当接する他当接面と、を該一当接部が有すれば、雄ねじ部分が雌ねじ部分の一端側から螺合した場合と他端側から螺合した場合とのいずれの場合も該一当接部が簾の上端近傍に当接することができる。このため簾の上端近傍に当接する面として一当接面と他当接面との両面を用いることができるので、いずれか片方の面が破損したようなときも他方の面を用いることで本係合部の使用を継続することができるし、一当接面により簾の上端近傍に当接する状態と他当接面により簾の上端近傍に当接する状態とを異ならせること（当接すべき簾の上端近傍の状態等に応じ、当接面積、当接面の形状、当接面の角度、当接面の粗度（突起や凹凸の有無や状態を含む）等を互いに異ならせた一当接面及び他当接面のいずれかを選択することもできる。）もできる。
【００１４】
両面当接本係合部の場合、前記雌ねじ部分の一端と他端との間の中心点を含み、前記雌ねじ部分の進退方向に対して垂直な平面である基準面に対し、前記一当接面と前記他当接面とが略平行であり、前記一当接面と該基準面との間の距離と、前記他当接面と該基準面との間の距離と、が異なるものであってもよい。
基準面は、雌ねじ部分の一端と他端との間の中心点を含み、雌ねじ部分の進退方向（雄ねじ部分が雌ねじ部分に対して相対的に回転することで、雄ねじ部分に対して相対的に雌ねじ部分が移動する方向をいう。通常、雄ねじ部分の軸方向である。）に対して垂直な平面をいう。このような基準面に対し、該一当接面と該他当接面とが略平行であり、該一当接面と基準面との間の距離と、該他当接面と基準面との間の距離と、が異なるようにすれば、該一当接面が簾の上端近傍に当接する場合（雄ねじ部分が雌ねじ部分の一端側から螺合する場合）と該他当接面が簾の上端近傍に当接する場合（雄ねじ部分が雌ねじ部分の他端側から螺合する場合）とで該一当接部と該他当接部との間の距離を変化させることができる。該距離の変化は、様々な目的に用いられることができるが、例えば、簾上部の一面側と他面側との間の寸法（厚み）が大幅に変わることに対応することができるよう用いられてもよい。
【００１５】
上述したように、本係合部は、簾の下端近傍を支持する線材と共に簾昇降具（以下、「本昇降具」という。）を構成する。即ち、本昇降具は、本係合部と、本係合部が係合し簾の下端近傍を支持する線材と、を有してなる簾昇降具である。
【００１６】
本昇降具においては、簾の上縁に沿った異なる２点に取り付けられる第１係合部（第１の本係合部）及び第２係合部（第２の本係合部）を有してなり、線材が、第１係合部と第２係合部との間に張設されるものであり、少なくとも簾の下端近傍を上昇させる際、第１係合部と第２係合部との間の線材の張力が増加するもの（以下、「対係合部本昇降具」という。）であってもよい。
このように簾の上縁に沿った異なる２点に取り付けられる一対の係合部を有してなり、線材が、該一対の係合部の間に張設されるものであり、少なくとも簾の下端近傍を上昇させる際、該一対の係合部の間の線材の張力が増加する簾の昇降具は、特許文献１にも示したように従来から用いられてきたが、かかる昇降具は簾の下端近傍を上昇させる際に該一対の係合部の間の線材の張力が増加することにより、該一対の係合部の間の距離が小さくなるよう該一対の係合部の少なくとも一方が不意に移動するという問題があった。これに対し、対係合部本昇降具においては、第１係合部（第１の本係合部）及び第２係合部（第２の本係合部）のいずれも、該一当接部と該他当接部との間で簾の上端近傍を確実に挟持することにより、かかる係合部の不意の移動を効果的に防止することができる。
【００１７】
対係合部本昇降具においては、第１係合部が、線材の一端が固定される一端固定部と、線材に沿った方向に移動自在に支持する第１支持部と、を有し、第２係合部が、線材の他端が固定される他端固定部と、線材に沿った方向に移動自在に支持する第２支持部と、を有し、第１支持部と第２支持部との間に線材が張設され、一端固定部と第１支持部との間の線材の部分と、他端固定部と第２支持部との間の線材の部分と、が簾の下端近傍を支持するものであってもよい。
こうすることで線材を引き取ったり（通常、第１支持部と第２支持部との間に張設された線材をだぶらせるように引き取る。）緩め出すことで、一端固定部と第１支持部との間の線材の長さと、他端固定部と第２支持部との間の線材の長さと、を同時に変化させることができ、簾の下端近傍を容易に昇降させることができるので便利である。このように構成すると、簾の下端近傍を上昇させる際に第１支持部と第２支持部との間の線材の張力が増加するが、これら第１支持部と第２支持部との不意の移動は上記の通り効果的に防止される。なお、簾の下端近傍が、一端固定部と第１支持部との間の線材の部分と、他端固定部と第２支持部との間の線材の部分と、により支持された状態を保持可能にするには、一端固定部と第１支持部との間の線材の長さと、他端固定部と第２支持部との間の線材の長さと、が所定値よりも大きくなることを制限する長さ制限手段をさらに有するようにしてもよい。
【００１８】
本昇降具は、本係合部と線材とが組み付けられた完成品として製造や販売等がされてもよいが、線材は汎用のものが容易に入手可能であるので、本係合部のみとして製造や販売等がされてもよく、さらに本係合部と線材とを少なくとも含んでなる、本昇降具を製作する製作セットとして製造や販売等がされてもよい。
【発明を実施するための最良の形態】
【００１９】
以下、本発明の実施の形態を図面を参照して説明する。しかしながら、これらによって本発明は何ら制限されるものではない。
【００２０】
図１は、一対の本発明の係合部（本係合部）と、一対の本係合部との間に張設された紐（線材）と、を有してなる簾昇降具（本昇降具）１１が、簾１０１に取り付けられたところを示す正面図（一部省略）である。図１を参照して、本昇降具１１が簾１０１に取り付けられた状態を説明する。なお、「上」（鉛直上方）及び「下」（鉛直下方）を、以降の図中、矢印Ｐ１（上）及び矢印Ｐ２（下）にてそれぞれ示した。
簾１０１は、ほぼ直線に沿ってのびる真っ直ぐな棒状部材（長手方向に対して垂直な断面形状は扁平）たる上端部材１０３と、ほぼ直線に沿ってのびる真っ直ぐな棒状部材（長手方向に対して垂直な断面形状は扁平）たる下端部材１０５と、ほぼ直線に沿ってのびる真っ直ぐな棒状部材たる複数の中間部材１０７と、これら部材１０３、１０５及び１０７が１平面に略属しかつそれぞれの長手方向が互いに略平行になるようこれら部材１０３、１０５及び１０７を縛り付ける一対の紐材１０９ａ、１０９ｂと、を有してなるものであり、従来から用いられてきた簾と同様のものである。なお、図示していないが、上端部材１０３は、建物の窓枠に取り付けられた簾吊り下げ具により支持されており、複数の中間部材１０７及び下端部材１０５は、重力により垂れ下がっている（部材１０３、１０５及び１０７の長手方向は略水平方向に向いている。また、部材１０３、１０５及び１０７が略属する前記１平面はここでは略鉛直になっている。）。
【００２１】
本昇降具１１は、第１の本係合部たる第１係合部２１ａと、第２の本係合部たる第２係合部２１ｂと、第１係合部２１ａと第２係合部２１ｂとの間に張設された紐（線材）１３と、を有してなる。
第１係合部２１ａ及び第２係合部２１ｂは、一部異なる構成を有するが、多くの同様の構成を有するので、まず両係合部２１ａ、２１ｂの同様の構成について説明する。
図２は、簾１０１から取り外した第１係合部２１ａ及び第２係合部２１ｂの左側面図（図１中、矢印Ｆ１、Ｆ２方向から見たところを示している。第１係合部２１ａ及び第２係合部２１ｂを係合部２１として示す。）であり、図３は図２のＡーＡ断面図であり、図４は係合部２１を構成する要素（後述の一当接部４１と他当接部３１とネジ部材６１）を取り外した分解図であり、図５は図４のＢーＢ断面図であり、図６は後述の一当接部４１の正面図（図４中、矢印Ｃ方向から見たところを示している。）である。図２乃至図６を参照して、係合部２１（第１係合部２１ａ、第２係合部２１ｂ）について説明する。
【００２２】
係合部２１は、簾１０１の一面側（ここでは図１に示した表面１０１ａとは反対の裏面）から簾１０１の上端近傍（ここでは上端部材１０３）に当接する一当接部４１と、簾１０１の他面側（ここでは図１に示した表面１０１ａ）から簾１０１の上端近傍（ここでは上端部材１０３）に当接する他当接部３１と、ネジ部材６１と、を有してなる。
【００２３】
一当接部４１は、内周面に雌ねじ（雌ねじ部分）が螺刻された円筒状（両端が開放）金属製の雌ねじ部材４３と、雌ねじ部材４３に外嵌された樹脂製のコマ部分４５（雌ねじ部材４３の内周面に形成された雌ねじの方向（図２及び図４中、矢印Ｄにて示す。以下、「ネジ方向」という。）に対して垂直な断面における外面形状はネジ方向のいずれの位置も同じ形状である。）と、コマ部分４５のネジ方向に関し一端寄りにコマ部分４５と樹脂により一体に形成された板状部分４７と、を有している。
コマ部分４５は、柱本体部４５ｋ（半円と、該半円の直径と同じ一辺の長さを有する長方形と、を該半円の弦（直径）と該一辺とを重ね合わせた形状の底面を有する直柱体）と、溝形成部４５ｍ（長方形（２辺とも該一辺よりも短い）を底辺とする直柱体）と、を一体に有してなり、溝形成部４５ｍの両側に凹溝４６が形成されている。また、内嵌された雌ねじ部材４３の内周面に形成された雌ねじに雄ねじが嵌入できるよう、コマ部分４５には嵌入孔４５ｎが形成されている。
板状部分４７は、両主表面がネジ方向に対して略垂直になるようコマ部分４５と一体に形成された板状本体部４７ｄと、板状本体部４７ｄの下端に板状本体部４７ｄと一体に形成されたリング状の紐固定部４７ｐ（紐１３が孔４７ｈに貫入され結び付けられる。）と、板状本体部４７ｄの両主表面のうち一主表面に貼着されたゴム板４７ｒと、を有している。また、板状本体部４７ｄの両主表面のうち他主表面には、複数の凸条４７ｄａが形成されている。
【００２４】
他当接部３１は、一当接部４１のコマ部分４５をネジ方向にスライド自在に嵌入する外筒部分３３と、外筒部分３３の一端寄りに外筒部分３３と樹脂により一体に形成された滑車保持部３５と、滑車保持部３５に貼着されたゴム板３７と、を有している。
外筒部分３３は、一方の底部は、ネジ貫入孔３３ｈが形成された底壁部３３ｋにより閉じられているが、他方の底部は開放されると共に、一方の底部と他方の底部との間にはネジ方向に沿った側面開口３３ｓ（図５参照）が形成されている。側面開口３３ｓの両縁には外筒部分３３の内方に向けて突出するように凸条３３ｔ１、３３ｔ２が形成されている（特に図３及び図５参照）。凸条３３ｔ１、３３ｔ２は、図３に示すように凹溝４６に係合し、外筒部分３３に関しコマ部分４５をネジ方向に相対的にスライド自在にすると共に、外筒部分３３の側面開口３３ｓを経由してコマ部分４５が脱落することを防止する。
滑車保持部３５は、両主表面がネジ方向に対して略垂直になるよう外筒部分３３のネジ方向の一端寄りに取り付けられた第１板状部分３４と、第１板状部分３４の主表面と両主表面が略平行になるように配設された第２板状部分３６と、第１板状部分３４と第２板状部分３６とを連結する一対の連結板３８ｃ、３８ｄ（互いに略平行）と、を有してなり、上方向（矢印Ｐ１）と下方向（矢印Ｐ２）に開放された長方形状の枠体（無底無蓋の箱体）を形成している。なお、後で詳述するが、第１板状部分３４と第２板状部分３６との間に、第１係合部２１ａ及び第２係合部２１ｂいずれも滑車９１の軸９３が回転自在になるよう、また第２係合部２１ｂにおいてはストッパー９５の軸９７が回動自在になるよう支持されている。
ゴム板３７は、第１板状部分３４の両主表面のうち板状本体部４７ｄ側の主表面に貼着されている。
【００２５】
ネジ部材６１は、雌ねじ部材４３の内周面に螺刻された雌ねじ（雌ねじ部分）に螺合可能な雄ねじ部分６３と、雄ねじ部分６３の基端側に形成された把持部分６５（雄ねじ部分６３に対して相対的に回動不可能にされる。手により把持されたとき、滑りにくいように外周面に凹凸が形成されている。）と、を有してなる。
図４に示す状態から、コマ部分４５を外筒部分３３内部にネジ方向（図４中、矢印Ｄ）に向けてスライドさせて嵌入し（図４中、矢印Ｇ）、その後、雄ねじ部分６３の先端側からネジ貫入孔３３ｈへ貫入する（なお、雄ねじ部分６３は、ネジ貫入孔３３ｈへ遊嵌される。）。さらに、雄ねじ部分６３の先端側をコマ部分４５（外筒部分３３内部にスライド自在に嵌入されている。）の嵌入孔４５ｎへ貫入し、雌ねじ部材４３の内周面に螺刻された雌ねじ（雌ねじ部分）に雄ねじ部分６３を螺合させれば図２に示すような状態になる。かかる図２のような状態においては、把持部分６５を手で把持して雄ねじ部分６３を軸の周りに回転させれば、一当接部４１と他当接部３１とをネジ方向（図４中、矢印Ｄ）に関し相対的に両方向（図２中、左右方向）に移動（スライド）させることができる。これにより板状本体部４７ｄ（ゴム板４７ｒ）と第１板状部分３４（ゴム板３７）との間に簾１０１の上端近傍（上端部材１０３）を挟持したり取り外したりを自由に行うことができる。また、図７に示すように、図４とはコマ部分４５を１８０度回転させた状態で、コマ部分４５を外筒部分３３内部にネジ方向（図７中、矢印Ｄ）に向けてスライドさせて嵌入し（図７中、矢印Ｇ）、その後、雄ねじ部分６３の先端側をネジ貫入孔３３ｈへ貫入し（雄ねじ部分６３は、ネジ貫入孔３３ｈへ遊嵌される。）、コマ部分４５（外筒部分３３内部に嵌入されている。）の嵌入孔４５ｎへ貫入し、雌ねじ部材４３の内周面に螺刻された雌ねじ（雌ねじ部分）に雄ねじ部分６３を螺合させるようにすることもできる。こうすることで板状本体部４７ｄ（複数の凸条４７ｄａ）と第１板状部分３４（ゴム板３７）との間に簾１０１の上端近傍（上端部材１０３）を挟持することができる。なお、ここでは雌ねじ部材４３の内周面に螺刻された雌ねじ（雌ねじ部分）の一端Ｅ１と他端Ｅ２との間の中心点Ｅ３（ネジ方向（図７中、矢印Ｄ）に関しての中心点）を含み、前記雌ねじ部分の進退方向（ネジ方向（図７中、矢印Ｄ））に対して垂直な平面である基準面（図７中、平面Ｊ）に対し、ゴム板４７ｒの当接面と複数の凸条４７ｄａが形成された面とが略平行であり、ゴム板４７ｒの当接面と基準面Ｊとの間の距離Ｌ２と、複数の凸条４７ｄａが形成された面と基準面Ｊとの間の距離Ｌ１と、が異なるため、図４（図２）の状態と図７の状態とでは挟持することができる簾１０１の上端近傍（上端部材１０３）の寸法（厚み）が異なる。
【００２６】
以上のように第１係合部２１ａと第２係合部２１ｂとで同様の構成について係合部２１として説明したが、次いで、第１係合部２１ａと第２係合部２１ｂとで異なる構成について説明する。なお、第１係合部２１ａと第２係合部２１ｂとでは、他当接部３１のみが異なり、一当接部４１とネジ部材６１とは同様であるので、第１係合部２１ａと第２係合部２１ｂとの他当接部３１の違いについて主として説明する（以下の説明では、第１係合部２１ａの他当接部を他当接部３１ａとし、第２係合部２１ｂの他当接部を他当接部３１ｂとして説明する。）。
【００２７】
図８は、第１係合部２１ａの他当接部３１ａを示す図（図８（ａ）は他当接部３１ａの正面図であり、図８（ｂ）は他当接部３１ａの平面図（図８（ａ）中、矢印Ｑ方向から見たところを示している。）である。）である。図８を参照して、他当接部３１ａについて説明する。なお、上で説明した係合部２１と同じ要素には同じ参照番号を図８においても用いている。
滑車保持部３５の第１板状部分３４と第２板状部分３６とは、一対の連結板３８ｃ、３８ｄ（互いに略平行）により連結されており、上方向（矢印Ｐ１）と下方向（矢印Ｐ２）に開放された直方体形状の枠体（無蓋無底の箱体。図８（ｂ）中には、上下に開放された部分３５ｐを示した。）を形成している。第１板状部分３４と第２板状部分３６との間には、直円筒形状の滑車９１の軸９３（ネジ方向と略平行）が支持されており、滑車９１は軸９３の周りに回転自在に配設されている。
【００２８】
図９は、第２係合部２１ｂの他当接部３１ｂを示す図（図９（ａ）は他当接部３１ｂの正面図であり、図９（ｂ）は他当接部３１ｂの平面図（図９（ａ）中、矢印Ｑ方向から見たところを示している。）である。）である。そして、図１０は、図９（ｂ）のＮ−Ｎ断面図である。図９及び図１０を参照して、他当接部３１ｂについて説明する。なお、上で説明した係合部２１と同じ要素には同じ参照番号を図９及び図１０においても用いている。
滑車保持部３５の第１板状部分３４と第２板状部分３６とは、一対の連結板３８ｃ、３８ｄ（互いに略平行）により連結されており、上方向（矢印Ｐ１）と下方向（矢印Ｐ２）に開放された直方体形状の枠体（無蓋無底の箱体。図９（ｂ）及び図１０中、上下に開放された部分３５ｐを示した。）を形成している。第１板状部分３４と第２板状部分３６との間のうちやや一方に寄った位置（第１係合部２１ａ側）には、直円筒形状の滑車９１の軸９３（ネジ方向と略平行）が支持されており、滑車９１は軸９３の周りに回転自在に配設されている。そして、第１板状部分３４と第２板状部分３６との間のうちやや他方に寄った位置（第１係合部２１ａとは反対側）には、ストッパー９５の軸９７（ネジ方向と略平行）が支持されており、ストッパー９５は軸９７の周りに回動自在（図１０中、矢印Ｒ）に配設されている。ストッパー９５は、外周面に凸部として形成された回動止め部９５ｃと、外周面に複数の突起として形成された紐係合突起９５ｄと、を有してなり、ストッパー９５の軸９７の周りの回動（図１０中、矢印Ｒ）は、一方向（図１０中、時計回り）には紐係合突起９５ｄが滑車９１に当接するまで許容され、他方向（図１０中、反時計回り）には回動止め部９５ｃが連結板３８ｄに当接するまで許容される（即ち、紐係合突起９５ｄが滑車９１に当接する状態と、回動止め部９５ｃが連結板３８ｄに当接する状態と、の間でストッパー９５は軸９７の周りに自由に回動することができる。）。なお、重力以外の力が作用していない状態におけるストッパー９５の軸９７の周りの回動位置は、ストッパー９５の重心９５ｇが軸９７の下方に位置する回動位置（図１０の状態）になる。
【００２９】
以上説明した本昇降具１１の使用方法の一例について簡単に説明する。
（１）簾１０１を支持物に支持させる。ここでは具体的には、簾１０１の上端部材１０３を、建物の窓枠に取り付けられた簾吊り下げ具により支持してもよい。
（２）板状本体部４７ｄ（ゴム板４７ｒ又は凸条４７ｄａ）と第１板状部分３４（ゴム板３７）との間に簾１０１の上端近傍（上端部材１０３）を挟持することで、第１係合部２１ａと第２係合部２１ｂとを簾１０１の上端近傍（上端部材１０３）の所定位置に取り付ける。具体的には、まず、簾１０１の上端近傍（上端部材１０３）の寸法（厚み）に応じ、図２（図４）又は図７のいずれの方向かを選択し、コマ部分４５を外筒部分３３内部にネジ方向（図４及び図７中、矢印Ｄ）に向けてスライドさせて嵌入し（図４及び図７中、矢印Ｇ）、その後、雄ねじ部分６３を雄ねじ部分６３の先端側からネジ貫入孔３３ｈへ貫入する（なお、雄ねじ部分６３は、ネジ貫入孔３３ｈへ遊嵌される。）。さらに、雄ねじ部分６３の先端側をコマ部分４５の嵌入孔４５ｎへ貫入し、雌ねじ部材４３の内周面に螺刻された雌ねじ（雌ねじ部分）に雄ねじ部分６３を螺合させる。その後、把持部分６５を手で把持して雄ねじ部分６３を軸の周りに回転させ、一当接部４１と他当接部３１とをネジ方向（矢印Ｄ）に関し相対的に正逆両方向に移動（スライド）させて板状本体部４７ｄ（ゴム板４７ｒ（図２（図４））又は凸条４７ｄａ（図７））と第１板状部分３４（ゴム板３７）との間の距離を調整して簾１０１の上端近傍（上端部材１０３）を該間に挟持し、第１係合部２１ａ及び第２係合部２１ｂを簾１０１の上端近傍（上端部材１０３）に取り付ける。
（３）紐（線材）１３の一端を、第１係合部２１ａの紐固定部４７ｐの孔４７ｈに貫入し結びつける。
（４）紐（線材）１３を、簾１０１の一面側（ここでは図１に示した表面１０１ａとは反対の裏面。第１係合部２１ａの紐固定部４７ｐが該一面側に存する。）に沿って下方に向けて垂下させ、簾１０１の下端から簾１０１の他面側（ここでは図１に示した表面１０１ａ）に沿って上方に向けて上昇させ、第１係合部２１ａの滑車９１に図１１（断面位置は、図８（ｂ）のＴ−Ｔ断面（一部省略）を示している。）に示すように係合させる。
（５）第１係合部２１ａの滑車９１に係合した紐（線材）１３の他端を、第２係合部２１ｂに図１２（図１０と同様の断面を示す。）に示すように係合させる。具体的には、第１係合部２１ａの滑車９１に係合した紐（線材）１３を、第２係合部２１ｂの滑車９１の上方を通過させ、滑車９１とストッパー９５との間から下方に垂下させ、再び下方から上方に向かうように折り返し、第２係合部２１ｂの滑車９１に係合させる。これによって第２係合部２１ｂの滑車９１とストッパー９５との間に、紐（線材）１３がだぶるように折り返されたループ部１３ｒが形成される。
（６）第２係合部２１ｂの滑車９１に係合した紐（線材）１３の他端を、簾１０１の他面側（ここでは図１に示した表面１０１ａ）に沿って下方に向けて垂下させ、簾１０１の下端から簾１０１の一面側（ここでは図１に示した表面１０１ａとは反対の裏面。第２係合部２１ｂの紐固定部４７ｐが位置する側）に沿って上方に向けて上昇させ、第２係合部２１ｂの紐固定部４７ｐの孔４７ｈに貫入し結びつける。
以上のようにして、図１に示したように、本昇降具１１を簾１０１に取り付けることができる。なお、上記した取付工程（１）〜（６）の順番は適宜変更されてよいことはいうまでもない。
【００３０】
このようにして図１のように簾１０１に取り付けられた本昇降具１１は、紐（線材）１３がだぶるように折り返されたループ部１３ｒの長さを調節することで、簾１０１の下端を自由に上下させ、固定することができる。具体的には、前述の図１２に示した状態においては、ループ部１３ｒの長さを減少させる方向に紐（線材）１３には張力（紐（線材）１３は簾１０１の下端を支持しているので、図１２中、矢印ｔ１と矢印ｔ２の方向に張力が加わる。）が加わっているので、図１２の状態からループ部１３ｒを下方に引く力を減少させると、紐（線材）１３とストッパー９５（主として紐係合突起９５ｄ）との摩擦力によりストッパー９５が図１２中時計回り方向（図１２中、矢印Ｓ方向）に回動し、図１３に示すようになる。図１３においては、紐（線材）１３は、紐係合突起９５ｄがくい込むように滑車９１とストッパー９５との間に挟まれることで強く係止されており（紐（線材）１３に加わる張力（図１３中、矢印ｔ１と矢印ｔ２の方向の張力）は、紐（線材）１３が滑車９１とストッパー９５との間に挟まれる力を増加させる。）ループ部１３ｒから紐（線材）１３が引き出されることを禁止している（ループ部１３ｒの長さが短くなることを禁止する。）。これによって第１係合部２１ａの紐固定部４７ｐと第１係合部２１ａの滑車９１との間の紐（線材）１３の部分と、第２係合部２１ｂの滑車９１と第２係合部２１ｂの紐固定部４７ｐとの間の紐（線材）１３の部分と、が簾１０１の下端を支持し固定することができる。
なお、図１３の状態から、ループ部１３ｒを図１３中において左下方向に引っ張れば、滑車９１とストッパー９５との間に紐（線材）１３が挟まれ係止された状態を解くことができ（図１２の状態）、紐（線材）１３とストッパー９５（主として紐係合突起９５ｄ）とが接触しないようループ部１３ｒを図１３中において左下方向に引っ張りつつループ部１３ｒの長さを自由に調節することができる。これにより簾１０１の下端を自由に上下させることができ、該下端が所望の高さになったら、紐（線材）１３とストッパー９５（主として紐係合突起９５ｄ）とが接触するようループ部１３ｒを図１３中において右下方向に引っ張りつつループ部１３ｒを下方に引く力を減少させれば、前述の通り、紐（線材）１３とストッパー９５（主として紐係合突起９５ｄ）との摩擦力によりストッパー９５が図１２中時計回り方向（図１２中、矢印Ｓ方向）に回動し、再び紐（線材）１３が係止される図１３の状態になる。
【００３１】
以上説明したように、第１係合部２１ａと第２係合部２１ｂとはいずれも、簾１０１の下端近傍を支持する線材たる紐１３と、簾１０１の上端近傍（ここでは上端部材１０３）に取り付けられ線材たる紐１３が係合する係合部と、を備えてなる簾昇降具１１に用いられる該係合部であって、簾１０１の一面側（ここでは図１に示した表面１０１ａとは反対の裏面）から該上端近傍に当接する一当接部４１と、簾１０１の他面側（ここでは図１に示した表面１０１ａ）から該上端近傍に当接する他当接部３１と、一当接部４１と他当接部３１との間の距離を所定範囲内で連続的に調節する距離調節手段（雌ねじ部材４３の内周面に螺刻された雌ねじと、該雌ねじに螺合する雄ねじ部分６３と、雄ねじ部分６３の基端側に形成された把持部分６５と、を含んで構成される。）と、を有してなる、簾昇降具に用いられる係合部である。
そして、距離調節手段が、一当接部４１に固定された雌ねじ部分（雌ねじ部材４３の内周面に螺刻された雌ねじ）と、該雌ねじ部分に螺合する雄ねじ部分６３と、を有しており、雄ねじ部分６３が該雌ねじ部分に対して相対的に回転することで、前記距離を調節する。
加えて、距離調節手段が、雄ねじ部分６３の基端側に形成された把持部分６５を有してなり、他当接部３１が、把持部分６５と前記雌ねじ部分（雌ねじ部材４３の内周面に螺刻された雌ねじ）との間の雄ねじ部分６３に貫通されるものである（他当接部３１のネジ貫入孔３３ｈに雄ねじ部分６３が遊嵌（貫通）される。）。
【００３２】
第１係合部２１ａと第２係合部２１ｂとのいずれも、雄ねじ部分６３が、前記雌ねじ部分（雌ねじ部材４３の内周面に螺刻された雌ねじ）の一端側と他端側とのいずれからも螺合可能であり（ここでは雄ねじ部分６３が前記雌ねじ部分を貫通可能であり、図２（図４）及び図７のいずれの状態も可能である。）、一当接部４１は、雄ねじ部分６３が前記雌ねじ部分の一端側から螺合したときに簾１０１の上端近傍に当接する一当接面（ゴム板４７ｒの当接面）と、雄ねじ部分６３が前記雌ねじ部分の他端側から螺合したときに簾１０１の上端近傍に当接する他当接面（複数の凸条４７ｄａが形成された面）と、を有する。
さらに、前記雌ねじ部分（雌ねじ部材４３の内周面に螺刻された雌ねじ）の一端Ｅ１と他端Ｅ２との間の中心点Ｅ３を含み、前記雌ねじ部分の進退方向（ネジ方向（矢印Ｄ））に対して垂直な平面である基準面（図７中、平面Ｊ）に対し、一当接面（ゴム板４７ｒの当接面）と他当接面（複数の凸条４７ｄａが形成された面）とが略平行であり、一当接面（ゴム板４７ｒの当接面）と該基準面（図７中、平面Ｊ）との間の距離Ｌ２と、他当接面（複数の凸条４７ｄａが形成された面）と該基準面（図７中、平面Ｊ）との間の距離Ｌ１と、が異なる。
【００３３】
本昇降具１１は、第１係合部２１ａ及び第２係合部２１ｂと、第１係合部２１ａ及び第２係合部２１ｂが係合し簾１０１の下端近傍を支持する線材たる紐１３と、を有してなる簾昇降具である。
さらに、本昇降具１１は、簾１０１の上縁（ここでは上端部材１０３）に沿った異なる２点に取り付けられる第１係合部２１ａ及び第２係合部２１ｂを有してなり、線材たる紐１３が、第１係合部２１ａと第２係合部２１ｂとの間に張設されるものであり、少なくとも簾１０１の下端近傍を上昇させる際、第１係合部２１ａと第２係合部２１ｂとの間の線材たる紐１３の張力が増加する。
また、第１係合部２１ａが、線材たる紐１３の一端が固定される一端固定部たる第１係合部２１ａの紐固定部４７ｐと、線材たる紐１３に沿った方向に移動自在に支持する第１支持部たる滑車９１と、を有し、第２係合部２１ｂが、線材たる紐１３の他端が固定される他端固定部たる第２係合部２１ｂの紐固定部４７ｐと、線材たる紐１３に沿った方向に移動自在に支持する第２支持部たる滑車９１と、を有し、第１係合部２１ａと第２係合部２１ｂとの間に線材たる紐１３が張設され、一端固定部（第１係合部２１ａの紐固定部４７ｐ）と第１支持部（第１係合部２１ａの滑車９１）との間の線材たる紐１３の部分と、他端固定部（第２係合部２１ｂの紐固定部４７ｐ）と第２支持部（第２係合部２１ｂの滑車９１）との間の線材たる紐１３の部分と、が簾１０１の下端近傍を支持する。そして、ここでは一端固定部（第１係合部２１ａの紐固定部４７ｐ）と第１支持部（第１係合部２１ａの滑車９１）との間の線材たる紐１３の長さと、他端固定部（第２係合部２１ｂの紐固定部４７ｐ）と第２支持部（第２係合部２１ｂの滑車９１）との間の線材たる紐１３の長さと、が所定値よりも大きくなることを制限する長さ制限手段たるストッパー９５をさらに有する。
なお、本昇降具１１は、これらの本係合部（第１係合部２１ａ及び第２係合部２１ｂ）と線材たる紐１３とが組み付けられた完成品として製造や販売等がされてもよいが、線材たる紐１３は汎用のものが容易に入手可能であるので、本係合部（第１係合部２１ａ及び第２係合部２１ｂ）のみとして製造や販売等がされてもよく、さらに本係合部（第１係合部２１ａ及び第２係合部２１ｂ）と線材たる紐１３とを少なくとも含んでなる、本昇降具１１を製作する製作セットとして製造や販売等がされてもよい。
また、ここでは１本の紐１３が張り渡された一対の滑車９１（第１係合部２１ａと第２係合部２１ｂとの滑車９１）を備えてなる一対滑車型昇降具を示したが、上述したように１本の紐と１の滑車とから構成される単滑車型昇降具として構成してよいことは言うまでもない。
【図面の簡単な説明】
【００３４】
【図１】本昇降具が簾に取り付けられたところを示す正面図（一部省略）である。
【図２】係合部（第１係合部及び第２係合部）の左側面図である。
【図３】図２のＡーＡ断面図である。
【図４】係合部の分解図（一当接部と他当接部とネジ部材とを取り外したところを示している。）である。
【図５】図４のＢーＢ断面図である。
【図６】一当接部の正面図である。
【図７】コマ部分を外筒部分内部に嵌入する別の状態を示す係合部（第１係合部及び第２係合部）の左側面図である。
【図８】第１係合部の他当接部を示す図である。
【図９】第２係合部の他当接部を示す図である。
【図１０】図９（ｂ）のＮ−Ｎ断面図である。
【図１１】第１係合部の滑車に紐を係合させた状態を示す一部省略断面図である。
【図１２】第２係合部に紐を係合させた状態を示す断面図である。
【図１３】紐が滑車とストッパーとの間に挟まれ係止された状態を示す断面図である。
【符号の説明】
【００３５】
１１                  本昇降具
１３                  紐（線材）
１３ｒ                ループ部
２１                  係合部
２１ａ                第１係合部
２１ｂ                第２係合部
３１、３１ａ、３１ｂ  他当接部
３３                  外筒部分
３３ｈ                ネジ貫入孔
３３ｋ                底壁部
３３ｓ                側面開口
３３ｔ１、３３ｔ２    凸条
３４                  第１板状部分
３５                  滑車保持部
３５ｐ                上下に開放された部分
３６                  第２板状部分
３７                  ゴム板
３８ｃ、３８ｄ        連結板
４１                  一当接部
４３                  雌ねじ部材
４５                  コマ部分
４５ｋ                柱本体部
４５ｍ                溝形成部
４５ｎ                嵌入孔
４６                  凹溝
４７                  板状部分
４７ｄ                板状本体部
４７ｄａ              凸条
４７ｈ                孔
４７ｐ                紐固定部
４７ｒ                ゴム板
６１                  ネジ部材
６３                  雄ねじ部分
６５                  把持部分
９１                  滑車
９３                  軸
９５                  ストッパー
９５ｃ                回動止め部
９５ｄ                紐係合突起
９５ｇ                重心
９７                  軸
１０１                  簾
１０１ａ                表面
１０３                  上端部材
１０５                  下端部材
１０７                  中間部材
１０９ａ、１０９ｂ      紐材
【図１】
0004785129.tif 000002
【図２】
0004785129.tif 000003
【図３】
0004785129.tif 000004
【図４】
0004785129.tif 000005
【図５】
0004785129.tif 000006
【図６】
0004785129.tif 000007
【図７】
0004785129.tif 000008
【図８】
0004785129.tif 000009
【図９】
0004785129.tif 000010
【図１０】
0004785129.tif 000011
【図１１】
0004785129.tif 000012
【図１２】
0004785129.tif 000013
【図１３】
0004785129.tif 000014